(57)【要約】  無線通信システムにおける、端末による周辺基地局情報の要請方法が提供される。前記方法は、前記端末のハンドオーバ対象となる周辺基地局を検索するステップと、前記周辺基地局のうち、前記端末によって検索された基地局に関するプリアンブル（ｐｒｅａｍｂｌｅ）情報と、前記周辺基地局に関する情報を要請することを示す周辺基地局リスト要請指示子とを含むリスト要請メッセージをサービング基地局に伝送するステップと、前記周辺基地局に関する識別情報およびシステム情報を含むリスト応答メッセージを前記サービング基地局から受信するステップとを含む。
2012532559.tif 000002
【特許請求の範囲】
【請求項１】
無線通信システムにおける、端末による周辺基地局情報の要請方法において、
前記端末のハンドオーバ対象となる周辺基地局を検索するステップと、
前記周辺基地局のうち、前記端末によって検索された基地局に関するプリアンブル（ｐｒｅａｍｂｌｅ）情報と、前記周辺基地局に関する情報を要請することを示す周辺基地局リスト要請指示子とを含むリスト要請メッセージをサービング基地局に伝送するステップと、
前記周辺基地局に関する識別情報およびシステム情報を含むリスト応答メッセージを前記サービング基地局から受信するステップとを含むことを特徴とする周辺基地局情報の要請方法。
【請求項２】
前記リスト応答メッセージは、前記端末に専用チャネル（ｄｅｄｉｃａｔｅｄ  ｃｈａｎｎｅｌ）を介して伝送されるユニキャスト（ｕｎｉｃａｓｔ）メッセージであることを特徴とする請求項１に記載の周辺基地局情報の要請方法。
【請求項３】
前記リスト要請メッセージは、前記周辺基地局に対する検索を前記サービング基地局に要請するための目的のＭＡＣメッセージであることを特徴とする請求項１に記載の周辺基地局情報の要請方法。
【請求項４】
前記リスト要請メッセージは、前記周辺基地局に関する識別情報およびシステム情報を要請するための目的のＭＡＣメッセージであることを特徴とする請求項１に記載の周辺基地局情報の要請方法。
【請求項５】
前記リスト要請メッセージは、前記周辺基地局に対する検索結果を前記サービング基地局に報告するための目的のＭＡＣメッセージであることを特徴とする請求項１に記載の周辺基地局情報の要請方法。
【請求項６】
前記サービング基地局は、マクロ基地局であることを特徴とする請求項１に記載の周辺基地局情報の要請方法。
【請求項７】
前記周辺基地局を検索する前に、前記サービング基地局から、前記周辺基地局の種類、使用周波数、および位置情報を含む放送メッセージを受信するステップをさらに含むことを特徴とする請求項１に記載の周辺基地局情報の要請方法。
【請求項８】
前記端末が、前記周辺基地局のうちのいずれか１つにハンドオーバを行うことを特徴とする請求項１に記載の周辺基地局情報の要請方法。
【請求項９】
無線通信システムにおける、サービング基地局による周辺基地局情報の伝送方法において、
前記サービング基地局の周辺基地局のうち、端末によって検索された基地局に関するプリアンブル情報と、前記周辺基地局に関する情報を要請することを示す周辺基地局リスト要請指示子とを含むリスト要請メッセージを前記端末から受信するステップと、
前記周辺基地局に関する識別情報およびシステム情報を含むリスト応答メッセージを前記端末に伝送するステップとを含むことを特徴とする周辺基地局情報の伝送方法。
【発明の詳細な説明】
【技術分野】
【０００１】
本発明は、無線通信に関し、より詳細には、無線通信システムにおける、マクロ基地局によって行われる周辺基地局情報の伝送方法および装置に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ規格は、２００７年、ＩＴＵ（Ｉｎｔｅｒｎａｔｉｏｎａｌ  Ｔｅｌｅｃｏｍｍｕｎｉｃａｔｉｏｎ  Ｕｎｉｏｎ）傘下のＩＴＵ−Ｒ（ＩＴＵ−Ｒａｄｉｏｃｏｍｍｕｎｉｃａｔｉｏｎ  Ｓｅｃｔｏｒ）でＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００のための第６番目の規格として「ＷＭＡＮ−ＯＦＤＭＡ  ＴＤＤ」という名前で採用されている。ＩＴＵ−Ｒは、ＩＭＴ−２０００以降の次世代４Ｇ移動通信規格としてＩＭＴ−Ａｄｖａｎｃｅｄシステムを準備している。ＩＥＥＥ８０２．１６ＷＧ（Ｗｏｒｋｉｎｇ  Ｇｒｏｕｐ）は、２００６年末、ＩＭＴ−Ａｄｖａｎｃｅｄシステムのための規格として、既存のＩＥＥＥ８０２．１６ｅの修正（ａｍｅｎｄｍｅｎｔ）規格を作成することを目標にＩＥＥＥ８０２．１６ｍプロジェクトの推進を決定した。前記目標から分かるように、ＩＥＥＥ８０２．１６ｍ規格は、ＩＥＥＥ８０２．１６ｅ規格の修正という過去の連続性と、次世代ＩＭＴ−Ａｄｖａｎｃｅｄシステムのための規格という未来の連続性の、２つの側面を有している。したがって、ＩＥＥＥ８０２．１６ｍ規格は、ＩＥＥＥ８０２．１６ｅ規格に基づいたＭｏｂｉｌｅ  ＷｉＭＡＸシステムとの互換性（ｃｏｍｐａｔｉｂｉｌｉｔｙ）を維持しながら、ＩＭＴ−Ａｄｖａｎｃｅｄシステムのための進歩した要求事項をすべて満足させることを要求している。
【０００３】
８０２．１６ｍシステムでは、フェムトセル（ｆｅｍｔｏ  ｃｅｌｌ）技術が適用可能であり、最近、これについて活発な研究が行われている。フェムトセルとは、小さい電力を有する基地局で、使用者によって設置可能である。フェムトセルを支援するフェムト基地局（ｆｅｍｔｏ  ｂａｓｅ  ｓｔａｔｉｏｎ）は、マクロ基地局（ｍａｃｒｏ  ｂａｓｅ  ｓｔａｔｉｏｎ）と同じ周波数または異なる周波数を用い、バックボーン（ｂａｃｋｂｏｎｅ）ネットワークとしては、有線インターネットネットワークで使用する空中インタネット網を用いることを基本とする。フェムトセルは、限られた使用者グループにのみ接続を許容したり（ｃｌｏｓｅｄ  ｇｒｏｕｐ  ｏｆ  ｕｓｅｒｓ）、使用者の制限なくすべての使用者に接続を許容することができる（ｏｐｅｎ  ｇｒｏｕｐ  ｏｆ  ｕｓｅｒ）。また、フェムトセルは、マクロセルまたは他のフェムトセルの間にシームレスなハンドオーバを支援する必要がある。フェムト基地局の位置情報は把握されなければならず、多数のフェムトセルが密度高く設けられても動作に問題があってはならない。
【０００４】
フェムトセルはさらに、周辺セルとの干渉量を減少させるために、ＬＤＯ（Ｌｏｗ  Ｄｕｔｙ  Ｏｐｅｒａｔｉｏｎ）モードを支援する。ＬＤＯモードに入ったフェムト基地局は、ＡＩ（Ａｖａｉｌａｂｉｌｉｔｙ  Ｉｎｔｅｒｖａｌ）区間と、ＵＡＩ（Ｕｎａｖａｉｌａｂｉｌｉｔｙ  Ｉｎｔｅｒｖａｌ）区間とを繰り返す。ＡＩ区間に入ったフェムト基地局は、一般のマクロ基地局と同様に、ページング（ｐａｇｉｎｇ）またはレンジング（ｒａｎｇｉｎｇ）のための同期化および信号伝送、そして、端末のデータ伝送のために、端末と基地局との間に情報を伝送することができる。反面、ＵＡＩ区間に入ったフェムト基地局は、干渉量を最少化するために、無線上で端末といかなる情報のやり取りもしない。前記ＡＩ区間およびＵＡＩ区間は、基地局の状況に応じて各フェムト基地局ごとに異なって設定可能である。
【０００５】
フェムトセルが導入される前の従来の無線通信システムでは、マクロセル間のハンドオーバを支援するために、各マクロ基地局からすべての端末に周辺基地局に関する情報を放送（ｂｒｏａｄｃａｓｔ）していた。これは、ＩＥＥＥ８０２．１６システムのＮＢＲ−ＡＤＶメッセージにより実行できる。当該メッセージに含まれる情報は、各周辺基地局の識別子（ＢＳＩＤ）情報とアップ／ダウンリンク関連パラメータ（ＤＬ／ＵＬ  ｐａｒａｍｅｔｅｒ）情報などであり、これは、適当な対象基地局の選択と対象基地局への同期化および再進入時間を短縮するために提供される。しかし、一般的に、多数のフェムトセルがマクロセル内に密度高く設けられるため、マクロ基地局から周辺フェムト基地局に関する情報を端末に放送することは非効率的であった。逆に、マクロ基地局から周辺フェムト基地局に関する情報を端末に全く提供しなければ、端末が周辺のフェムト基地局を認知し、これに関する情報を得るための検索手順を行うのに多くの時間がかかることがあった。
【０００６】
マクロ基地局が周辺基地局に関する情報を効率的に端末に提供するための新たな方法が必要になる。
【先行技術文献】
【特許文献】
【０００７】
【特許文献１】米国特許出願公開第２００５−０２８２５４７号
【特許文献２】米国特許出願公開第２００８−０２９１８７５号
【特許文献３】米国特許出願公開第２００８−００５１０７８号
【発明の概要】
【発明が解決しようとする課題】
【０００８】
本発明の技術的課題は、無線通信システムにおける、マクロ基地局によって行われる周辺基地局情報の伝送方法および装置を提供することにある。
【課題を解決するための手段】
【０００９】
一態様において、無線通信システムにおける、端末による周辺基地局情報の要請方法が提供される。前記方法は、前記端末のハンドオーバ対象となる周辺基地局を検索するステップと、前記周辺基地局のうち、前記端末によって検索された基地局に関するプリアンブル（ｐｒｅａｍｂｌｅ）情報と、前記周辺基地局に関する情報を要請することを示す周辺基地局リスト要請指示子とを含むリスト要請メッセージをサービング基地局に伝送するステップと、前記周辺基地局に関する識別情報およびシステム情報を含むリスト応答メッセージを前記サービング基地局から受信するステップとを含む。
【００１０】
前記リスト応答メッセージは、前記端末に専用チャネル（ｄｅｄｉｃａｔｅｄ  ｃｈａｎｎｅｌ）を介して伝送されるユニキャスト（ｕｎｉｃａｓｔ）メッセージであり得る。
【００１１】
前記リスト要請メッセージは、前記周辺基地局に関する識別情報およびシステム情報を要請するための目的のＭＡＣメッセージであり得る。
【００１２】
前記リスト要請メッセージは、前記周辺基地局に関する識別情報およびシステム情報を要請するための目的のＭＡＣメッセージであり得る。
【００１３】
前記リスト要請メッセージは、前記周辺基地局に対する検索結果を前記サービング基地局に報告するための目的のＭＡＣメッセージであり得る。
【００１４】
前記サービング基地局は、マクロ基地局であり得る。
【００１５】
前記サービング基地局から、前記周辺基地局の種類、使用周波数、および位置情報を含む放送メッセージを受信するステップをさらに含むことができる。
【００１６】
前記端末が、前記周辺基地局のうちのいずれか１つにハンドオーバを行うことができる。
【００１７】
他の様態において、無線通信システムにおける、サービング基地局による周辺基地局情報の伝送方法が提供される。前記方法は、前記サービング基地局の周辺基地局のうち、端末によって検索された基地局に関するプリアンブル情報と、前記周辺基地局に関する情報を要請することを示す周辺基地局リスト要請指示子とを含むリスト要請メッセージを前記端末から受信するステップと、前記周辺基地局に関する識別情報およびシステム情報を含むリスト応答メッセージを前記端末に伝送するステップとを含む。
【発明の効果】
【００１８】
端末がマクロセルからフェムトセルにハンドオーバ（ＨＯ；Ｈａｎｄ−Ｏｖｅｒ）する時に、ハンドオーバのための周辺基地局に関する情報が効率的に伝送可能になる。
【図面の簡単な説明】
【００１９】
【図１】提案された周辺基地局情報の伝送方法の一実施形態を示す。
【図２】提案された周辺基地局情報の伝送方法の他の実施形態を示す。
【図３】提案された周辺基地局情報の伝送方法のさらに他の実施形態を示す。
【図４】提案されたハンドオーバ方法の一実施形態を示す。
【図５】本発明の実施形態が実現される基地局を示すブロック図である。
【発明を実施するための形態】
【００２０】
図１は、提案された周辺基地局情報の伝送方法の一実施形態を示す。
【００２１】
ステップＳ１００において、端末にサービスを提供するサービング基地局であるマクロ基地局１１０は、複数の分割放送メッセージを含む放送メッセージを生成し、前記放送メッセージを複数の端末に伝送する。複数の端末に伝送する方法は、ブロードキャスト（ｂｒｏａｄｃａｓｔ）であり得る。
【００２２】
前記複数の分割放送メッセージに含まれる各々の分割放送メッセージは、周辺基地局の種類、周辺基地局の位置、または周辺基地局の動作周波数に応じて互いに異なる周辺基地局に関する情報を含むことができる。
【００２３】
前記周辺基地局に関する情報は、マクロ基地局１１０と同程度の情報を含む。周辺基地局がフェムト基地局の場合、放送メッセージは、当該フェムト基地局のＬＤＯモード動作の可否またはＬＤＯモードで動作する場合、ＡＩ区間とＵＡＩ区間とを繰り返すパターンに関するパラメータ（ｐａｒａｍｅｔｅｒ）を含むことができる。各々の分割放送メッセージは、周辺基地局の種類に応じて区分できるため、周辺基地局の種類がマクロ基地局、マイクロ基地局、中継局、フェムト基地局などに分けられる場合、各基地局の種類を基準として分割放送メッセージを生成することができる。したがって、周辺基地局がマクロ基地局とフェムト基地局を共に含む場合、前記マクロ基地局に関する周辺基地局情報と前記フェムト基地局に関する周辺基地局情報は、放送メッセージ内で互いに異なる分割放送メッセージに含まれてもよい。あるいは、各々の分割放送メッセージは、周辺基地局の動作周波数または位置情報を基準として区分できる。例えば、周辺基地局の種類がフェムト基地局として同一であっても、動作周波数または位置情報に応じて、周辺基地局に関する情報は、放送メッセージ内で互いに異なる分割放送メッセージに含まれてもよい。
【００２４】
一方、放送メッセージは、マクロ基地局によって周期的に伝送できる。放送メッセージに含まれる複数の分割放送メッセージが一定の順序に従って伝送できる。つまり、放送メッセージに含まれるすべての分割放送メッセージが一定の周期内に１回ずつ伝送され、これにより、放送メッセージの伝送周期が設定できる。あるいは、各分割放送メッセージごとに周期が設定され、分割放送メッセージ各々が端末１２０に伝送されてもよい。
【００２５】
端末１２０は、マクロ基地局が伝送した複数の分割放送メッセージのうちの少なくとも１つの分割放送メッセージを受信する。前記少なくとも１つの分割放送メッセージは、放送メッセージ内で当該分割放送メッセージのインデックス情報を含むことができる。また、前記放送メッセージに含まれている前記分割放送メッセージの個数に関する情報を含むことができる。したがって、端末１２０が前記放送メッセージを受信するにあたり、チャネル環境に応じて前記放送メッセージの受信に失敗するとしても、必要な周辺基地局に対する分割放送メッセージを受信した場合には、当該周辺基地局へとハンドオーバが可能である。また、前記分割放送メッセージの個数が１つの場合、分割放送メッセージのインデックス情報は、当該周辺基地局のＩＤであり得る。
【００２６】
ステップＳ１１０において、前記放送メッセージに含まれている少なくとも１つの分割放送メッセージを受信した端末１２０は、分割放送メッセージに含まれている情報に基づいて周辺基地局を検索する。
【００２７】
端末１２０は、マクロ基地局１１０が動作する周波数から周辺基地局を検索することができる。当該周波数から周辺基地局の検索が失敗する場合、または他の周波数帯域を用いる周辺基地局の検索が必要な場合、端末１２０は、マクロ基地局１１０に他の特定周波数に対するスキャニングを要求するスキャニング要請メッセージを伝送することができる。マクロ基地局１１０は、端末１２０のスキャニング要請に対する応答として、スキャニング応答メッセージを伝送し、端末は、スキャニング応答メッセージに含まれている情報に基づいて周辺基地局を再検索することができる。スキャニング応答メッセージに含まれている周辺基地局を検索する周波数の選択は、放送メッセージから提供される情報に応じて決定できる。
【００２８】
上述したのとは異なり、端末１２０は、前記放送メッセージに含まれている分割放送メッセージを受信しないこともある。この場合、周辺基地局の検索が失敗する場合、または他の周波数帯域に対する検索が必要な場合と同様に、スキャニング要請メッセージの伝送およびスキャニング応答メッセージの受信ステップを行う。また、検索する周波数の選択は、放送メッセージから提供される情報に応じて決定できる。
【００２９】
前記検索要請メッセージは、前記分割放送メッセージの受信の可否に関する情報を含むことができる。この時、前記検索要請メッセージは、受信した前記分割放送メッセージのインデックス情報を含むことができる。仮に、放送メッセージが１つの分割放送メッセージから構成されると、前記分割放送メッセージに該当する周辺基地局のＩＤが前記分割放送メッセージのインデックス情報として利用できる。
【００３０】
スキャニング要請／応答メッセージを送受信した場合にも、周辺基地局の検索を行った後の手順は、以下で説明する本実施形態の一般的な過程と同様である。
【００３１】
ステップＳ１２０において、端末１２０は、検索されたフェムト基地局の情報および周辺基地局リスト指示子（ｎｅｉｇｈｂｏｒ  ＢＳ  ｌｉｓｔ  ｒｅｑｕｅｓｔ  ｉｎｄｉｃａｔｏｒ）をマクロ基地局１１０に伝送する。ここで、周辺基地局リスト要請指示子は、端末１２０が検索されたフェムト基地局の周辺に存在する周辺基地局に関するリスト情報を要請することを示す。
【００３２】
端末１２０が伝送する検索済みのフェムト基地局の情報および周辺基地局リスト要請指示子は、周辺基地局に関する情報を要請するために伝送する周辺基地局情報要請メッセージ（ＡＡＩ＿ＮＢＲ−ＲＥＱ）、周辺基地局をスキャニングするためにサービングセルに要請するスキャニング要請メッセージ（ＡＡＩ＿ＳＣＮ−ＲＥＱ）、およびスキャニング結果をサービングセルに報告するために伝送するスキャニング報告メッセージ（ＡＡＩ＿ＳＣＮ−ＲＥＰ）に含まれて伝送できる。また、前記メッセージに含まれて伝送される場合、前記放送メッセージの一部または全部に対する受信の可否が追加的に前記メッセージに含まれてもよい。
【００３３】
伝送される検索済みのフェムト基地局の情報には、要請する周辺基地局の種類に関する情報、検索されたフェムト基地局の識別子情報（プリアンブルまたはＢＳＩＤ）、検索されたフェムト基地局の動作周波数（ＦＡ）情報、および検索されたフェムト基地局から受信したダウンリンク信号の品質などが含まれてもよい。周辺基地局の種類に関する情報は、周辺基地局のタイプ（ｔｙｐｅ）またはタイプ別情報を示すビットマップの形式で示されてもよい。
【００３４】
ステップＳ１３０において、マクロ基地局１１０は、端末１２０が伝送した検索済みのフェムト基地局の情報および周辺基地局リスト要請指示子に対する応答として、端末１２０周辺のフェムトセル（ｆｅｍｔｏ  ｃｅｌｌ）情報を伝送する。この場合、周辺フェムトセルに存在する周辺フェムト基地局に対するリストおよび基地局識別子（ＢＳＩＤ）が含まれてもよく、当該フェムト基地局のシステム情報（ｓｙｓｔｅｍｉｎ  ｆｏｒｍａｔｉｏｎ）が含まれてもよい。また、周辺基地局がＬＤＯモードで動作する場合、当該基地局のＬＤＯ動作パラメータに関する情報を含むことができる。
【００３５】
周辺フェムトセルの情報は、放送メッセージに含まれて伝送でき、場合に応じて、分割放送分割メッセージに含まれて伝送できる。ただし、Ｓ１００ステップで伝送される放送メッセージがブロードキャスト方法によって伝送されるのに対し、本ステップの放送メッセージは、ユニキャスト（ｕｎｉｃａｓｔ）方法によって端末１２０に伝送される。また、当該メッセージは、Ｓ１００の放送メッセージとは別途に構成するメッセージであるため、Ｓ１００に含まれる特定の分割放送メッセージを示すインデックス情報などは含まれない。
【００３６】
端末１２０に提供する周辺フェムトセル情報の周辺フェムト基地局リストは、端末１２０の位置情報（ｌｏｃａｔｉｏｎ  ｉｎｆｏｒｍａｔｉｏｎ）に基づいて決定できる。端末１２０の位置情報は、Ｓ１２０ステップにおいて、端末１２０が検索したフェムト基地局に関する情報（要請する周辺基地局の種類に関する情報、検索されたフェムト基地局の識別子情報（プリアンブルまたはＢＳＩＤ）、検索されたフェムト基地局の動作周波数（ＦＡ）情報、および検索されたフェムト基地局から受信したダウンリンク信号の品質など）を周辺フェムト基地局のリスト要請時にマクロ基地局１１０に提供すると、マクロ基地局がすでに知っているフェムトセル基地局の地理情報を介して得ることができる。
【００３７】
ステップＳ１４０において、端末１２０は、前記受信した周辺フェムトセル情報に基づいて、周辺フェムト基地局のうち、ハンドオーバを行う適切なフェムト基地局をスキャニングする。
【００３８】
ステップＳ１５０において、端末１２０は、適切なフェムト基地局がスキャニングされると、当該フェムト基地局にハンドオーバを要請するハンドオーバ要請メッセージをマクロ基地局１１０に伝送する。
【００３９】
ステップＳ１６０において、端末１２０は、マクロ基地局１１０から前記ハンドオーバ要請メッセージに応じたハンドオーバ指示メッセージを受信する。前記ハンドオーバ指示メッセージを受信した前記端末１２０は、当該フェムト基地局へのハンドオーバを行う。
【００４０】
図２は、提案された周辺基地局情報の伝送方法の他の実施形態を示す。
【００４１】
ステップＳ２００において、マクロ基地局１１０は、複数の分割放送メッセージを含む放送メッセージを生成し、前記放送メッセージを複数の端末に伝送する。これは、図１のＳ１００と同様であるため、詳細な説明を省略する。
【００４２】
ただし、端末２２０は、チャネル環境に応じて放送メッセージを受信できないことがある。また、周辺検索した周辺基地局に関する情報を含む放送メッセージの分割部分をまだ受信できないこともある。この場合、端末は、マクロ基地局２１０に周辺基地局に関する情報を要請することができる。この時、端末は、直接周辺に存在する基地局を検索し（Ｓ２１０）、マクロ基地局１２０に情報を提供することができる。
【００４３】
端末２２０は、検索されたフェムト基地局の情報および周辺基地局リスト要請指示子（ｎｅｉｇｈｂｏｒ  ＢＳ  ｌｉｓｔ  ｒｅｑｕｅｓｔ  ｉｎｄｉｃａｔｏｒ）をマクロ基地局２１０に伝送する（Ｓ２２０）。ステップＳ２３０において、マクロ基地局２１０は、端末２２０が伝送した検索済みのフェムト基地局の情報および周辺基地局リスト要請指示子に対する応答として、端末２２０周辺のフェムトセル（ｆｅｍｔｏ  ｃｅｌｌ）情報を伝送する。ステップＳ２４０において、端末２２０は、前記受信した周辺フェムトセル情報に基づいて、周辺フェムト基地局のうち、ハンドオーバを行う適切なフェムト基地局をスキャニングする。ステップＳ２５０において、端末２２０は、適切なフェムト基地局がスキャニングされると、当該フェムト基地局にハンドオーバを要請するハンドオーバ要請メッセージをマクロ基地局２１０に伝送する。ステップＳ２６０において、端末２２０は、マクロ基地局２１０から前記ハンドオーバ要請メッセージに応じたハンドオーバ指示メッセージを受信する。前記ハンドオーバ指示メッセージを受信した前記端末２２０は、当該フェムト基地局へのハンドオーバを行う。以上、本実施形態のＳ２２０〜Ｓ２６０は、図１で述べたＳ１１０〜Ｓ１６０とそれぞれ同様であるため、詳細な説明は省略する。
【００４４】
図３は、提案された周辺基地局情報の伝送方法のさらに他の実施形態を示す。
【００４５】
ステップＳ３００において、マクロ基地局３１０は、複数の分割放送メッセージを含む放送メッセージを生成し、前記放送メッセージを複数の端末に伝送する。前記複数の分割放送メッセージに含まれる各々の分割放送メッセージは、周辺基地局の種類、周辺基地局の位置、または周辺基地局の動作周波数に応じて互いに異なる周辺基地局に関する情報を含むことができる。
【００４６】
前記周辺基地局情報は、前記図１の実施形態とは異なり、前記マクロ基地局３１０が動作する周波数帯域内の周辺基地局の存在の有無および／または周辺基地局の個数のみを含むなど、限られた情報を含む。分割放送メッセージを生成する基準として、周辺基地局の種類、周辺基地局の動作周波数、または位置情報が利用できる。また、一方、放送メッセージは周期的に伝送できる。放送メッセージに含まれる複数の分割放送メッセージが一定の順序に従って伝送できる。
【００４７】
ステップＳ３１０において、端末３２０は、前記放送メッセージに含まれている少なくとも１つの分割放送メッセージを受信し、これにより、周辺基地局を検索する。
【００４８】
ステップＳ３２０において、端末１２０は、検索されたフェムト基地局の情報および周辺基地局リスト要請指示子（ｎｅｉｇｈｂｏｒ  ＢＳ  ｌｉｓｔ  ｒｅｑｕｅｓｔ  ｉｎｄｉｃａｔｏｒ）をマクロ基地局３１０に伝送する。ここで、周辺基地局リスト要請指示子は、端末３２０が検索されたフェムト基地局の周辺に存在する周辺基地局に関するリスト情報を要請することを示す。
【００４９】
伝送される検索済みのフェムト基地局の情報には、要請する周辺基地局の種類に関する情報、検索されたフェムト基地局の識別子情報（プリアンブルまたはＢＳＩＤ）、検索されたフェムト基地局の動作周波数（ＦＡ）情報、および検索されたフェムト基地局から受信したダウンリンク信号の品質などが含まれてもよい。周辺基地局の種類に関する情報は、周辺基地局のタイプ（ｔｙｐｅ）またはタイプ別情報を示すビットマップの形式で示されてもよい。
【００５０】
端末３２０が伝送する検索済みのフェムト基地局の情報および周辺基地局リスト要請指示子は、隣接基地局情報要請メッセージ（ＡＡＩ＿ＮＢＲ−ＲＥＱ）、スキャニング要請メッセージ（ＡＡＩ＿ＳＣＮ−ＲＥＱ）、およびスキャニング報告メッセージ（ＡＡＩ＿ＳＣＮ−ＲＥＰ）に含まれて伝送できる。また、前記メッセージに含まれて伝送される場合、前記放送メッセージの一部または全部に対する受信の可否が追加的に前記メッセージに含まれてもよい。
【００５１】
ステップＳ３３０において、マクロ基地局３１０は、端末３２０が伝送した検索済みのフェムト基地局の情報および周辺基地局リスト要請指示子に対する応答として、端末１２０周辺のフェムトセル（ｆｅｍｔｏ  ｃｅｌｌ）情報を伝送する。ただし、Ｓ３２０において、端末３２０がマクロ基地局３１０に伝送したメッセージの類型に応じて周辺フェムトセル情報の伝送方法が異なっていてもよい。
【００５２】
端末３２０の伝送したメッセージが隣接基地局情報要請メッセージ（ＡＡＩ＿ＮＢＲ−ＲＥＱ）であれば、マクロ基地局３１０は、まず、端末３２０が要請した周辺基地局の類型を確認し、端末３２０周辺の最適化された周辺基地局情報を含む周辺フェムトセル情報を伝送する。この時、周辺フェムトセル情報は、隣接基地局情報応答メッセージ（ＡＡＩ＿ＮＢＲ−ＲＳＰ）に含まれて伝送できる。
【００５３】
端末３２０の伝送したメッセージがスキャニング要請メッセージ（ＡＡＩ＿ＳＣＮ−ＲＥＱ）であれば、スキャニング要請メッセージ内に周辺基地局リスト要請指示子の存在の有無をまず確認する。指示子がある場合、要請する周辺基地局の類型に該当する周辺基地局をスキャニング対象基地局とするスキャニング応答メッセージ（ＡＡＩ＿ＮＢＲ−ＲＳＰ）を伝送することができる。
【００５４】
端末３２０の伝送したメッセージがスキャニング報告メッセージ（ＡＡＩ＿ＳＣＮ−ＲＥＰ）であれば、端末の報告情報に応じて直ちに検索されたフェムト基地局にハンドオーバを指示することができる。この場合、周辺フェムトセル情報は提供されない。ただし、周辺基地局リスト要請指示子が存在する場合、周辺フェムトセル情報を伝送することができる。周辺フェムトセルの情報は、放送メッセージまたは放送分割メッセージに含まれて伝送できる。ただし、Ｓ３００ステップで伝送される放送メッセージがブロードキャスト方法によって伝送されるのに対し、本ステップの放送メッセージは、ユニキャスト（ｕｎｉｃａｓｔ）方法によって端末３２０に伝送される。
【００５５】
Ｓ３３０ステップにおいて、周辺フェムトセル情報が伝送される場合、周辺フェムトセルに存在する周辺フェムト基地局に対するリストおよび基地局識別子（ＢＳＩＤ）が含まれてもよく、当該フェムト基地局のシステム情報（ｓｙｓｔｅｍ  ｉｎｆｏｒｍａｔｉｏｎ）が含まれてもよい。また、周辺基地局がＬＤＯモードで動作する場合、当該基地局のＬＤＯ動作パラメータに関する情報を含むことができる。
【００５６】
端末３２０に提供する周辺フェムトセルの周辺フェムト基地局リストは、端末３２０の位置情報（ｌｏｃａｔｉｏｎ  ｉｎｆｏｒｍａｔｉｏｎ）に基づいて決定できる。端末３２０の位置情報は、Ｓ３２０ステップで端末３２０が検索したフェムト基地局に関する情報（要請する周辺基地局の種類に関する情報、検索されたフェムト基地局の識別子情報（プリアンブルまたはＢＳＩＤ）、検索されたフェムト基地局の動作周波数（ＦＡ）情報、および検索されたフェムト基地局から受信したダウンリンク信号の品質など）を周辺フェムト基地局のリスト要請時にマクロ基地局３１０に提供すると、マクロ基地局３１０がすでに知っているフェムトセル基地局の地理情報を介して得ることができる。
【００５７】
ステップＳ３４０において、端末３２０は、前記受信した周辺フェムトセル情報に基づいて、周辺基地局のうち、ハンドオーバを行う適切なフェムト基地局をスキャニングする。
【００５８】
ステップＳ３５０において、端末３２０は、適切なフェムト基地局がスキャニングされると、当該フェムト基地局にハンドオーバを要請するハンドオーバ要請メッセージをマクロ基地局３１０に伝送する。
【００５９】
ステップＳ３６０において、端末３２０は、マクロ基地局３１０から前記ハンドオーバ要請メッセージに応じたハンドオーバ指示メッセージを受信する。前記ハンドオーバ指示メッセージを受信した前記端末３２０は、当該フェムト基地局へのハンドオーバを行う。
【００６０】
以上、添付した図１〜図３を例として詳述した実施形態において、端末が周辺基地局を検索するステップ（Ｓ１１０、Ｓ２１０、Ｓ３１０）で検索されたフェムト基地局が限られた使用者にのみ接続が許容された閉鎖加入者グループ（ＣＳＧ；Ｃｌｏｓｅｄ  Ｓｕｂｓｃｒｉｂｅｒ  Ｇｒｏｕｐ）であり、要請した端末が当該グループに含まれると、端末がハンドオーバ手順を経てサービング基地局を当該検索されたフェムト基地局に変更し、サービング基地局となった、前記当該検索されたフェムト基地局から周辺フェムトセル情報を受信できるようにすることができる。反面、前記検索されたフェムト基地局が端末の接続制限のない開放加入者グループ（ＯＳＧ；Ｏｐｅｎ  Ｓｕｂｓｃｒｉｂｅｒ  Ｇｒｏｕｐ）に含まれると、検索されたフェムト基地局情報および周辺基地局リスト要請指示子を含むメッセージを介して周辺基地局に関する情報を要請することができる。サービング基地局は、周辺基地局リスト要請指示子の存在により周辺基地局情報の要請を確認し、周辺フェムトセル情報を端末に提供することができる。周辺フェムトセル情報には、上述した図１〜図３の実施形態で提供される情報が含まれてもよい。
【００６１】
図４は、提案されたハンドオーバ方法の一実施形態を示す。
【００６２】
ステップＳ４００において、端末は、マクロ基地局から放送メッセージに含まれる少なくとも１つの分割放送メッセージを受信する。前記少なくとも１つの分割放送メッセージは、周辺基地局に関する情報を含む。また、前記少なくとも１つの分割放送メッセージに含まれる各々の分割放送メッセージは、周辺基地局の種類、周辺基地局の位置、または周辺基地局の動作周波数に応じて互いに異なる周辺基地局に関する情報を含む。
【００６３】
ステップＳ４０１において、端末は、前記受信した分割放送メッセージに含まれた分割放送メッセージに含まれている情報に基づいて周辺基地局を検索する。
【００６４】
検索結果、周辺基地局が存在すれば（４０２ａ）、当該検索されたフェムト基地局が限られた端末のみ接続可能なＣＳＧに属するフェムト基地局であり、接続可能なのか否かを判断するステップを行う（Ｓ４０８）。
【００６５】
検索結果、周辺フェムト基地局が存在せず（Ｓ４０２ｂ）、前記マクロ基地局が動作する動作周波数とは異なる帯域の周辺基地局が存在すれば（Ｓ４０３ａ）、端末は、ステップＳ４０４でマクロ基地局に検索要請メッセージを伝送し、周波数帯域が異なる周辺基地局のスキャニングを要請するメッセージであるスキャニング要請メッセージを伝送する（Ｓ４０４）。スキャニング要請に対する応答として、スキャニング応答メッセージを受信し（Ｓ４０５）、スキャニング応答メッセージに含まれている情報に基づいて周辺基地局を再検索することができる（Ｓ４０６）。周辺基地局が存在する場合、当該検索されたフェムト基地局が接続可能なＣＳＧに属するフェムト基地局なのか否かを判断するステップを行う（Ｓ４０８）。周辺基地局が存在しなければ、再びマクロ基地局の周波数を用いる周辺基地局があるか否かを検索するステップに戻る（Ｓ４０７ｂ）。
【００６６】
検索されたフェムト基地局が接続可能なＣＳＧに属するフェムト基地局であり、接続可能な基地局であれば（Ｓ４０８ａ）、ハンドオーバする対象基地局を決定するステップに進む（Ｓ４１２）。
【００６７】
検索されたフェムト基地局が接続可能なＣＳＧに属するフェムト基地局ではなく（Ｓ４０８ｂ）、端末が周辺基地局リストを要請する指示子を含むメッセージをマクロ基地局に伝送した場合、端末は、マクロ基地局から周辺フェムトセルに関する情報を受信し（Ｓ４１０）、ハンドオーバする適当な対象基地局をスキャニングする（Ｓ４１１）。
【００６８】
端末が周辺基地局リストを要請する指示子を含むメッセージを伝送する時、これと共に、検索されたフェムト基地局の情報および前記放送メッセージの一部または全部に対する受信の可否が追加的に前記メッセージに含まれてもよい。
【００６９】
伝送される検索済みのフェムト基地局の情報には、要請する周辺基地局の種類に関する情報、検索されたフェムト基地局の識別子情報（プリアンブルまたはＢＳＩＤ）、検索されたフェムト基地局の動作周波数（ＦＡ）情報、および検索されたフェムト基地局から受信したダウンリンク信号の品質などが含まれてもよい。周辺基地局の種類に関する情報は、周辺基地局のタイプ（ｔｙｐｅ）またはタイプ別情報を示すビットマップの形式で示されてもよい。
【００７０】
周辺フェムトセルに存在する周辺フェムト基地局に対するリストおよび基地局識別子（ＢＳＩＤ）が含まれてもよく、当該フェムト基地局のシステム情報（ｓｙｓｔｅｍ  ｉｎｆｏｒｍａｔｉｏｎ）が含まれてもよい。また、周辺基地局がＬＤＯモードで動作する場合、当該基地局のＬＤＯ動作パラメータに関する情報を含むことができる。
【００７１】
周辺フェムトセルの情報は、放送メッセージまたは放送分割メッセージに含まれて伝送できる。ただし、Ｓ４００で受信する放送メッセージがブロードキャスト方法によって伝送されるのに対し、本ステップの放送メッセージは、ユニキャスト（ｕｎｉｃａｓｔ）方法によって端末に伝送される。また、当該メッセージは、Ｓ４００の放送メッセージとは別途に構成するメッセージであるため、Ｓ４００に含まれる特定の分割放送メッセージを示すインデックス情報などは含まれない。
【００７２】
一方、端末が周辺基地局リストを要請しない場合は、ハンドオーバ対象基地局を決定するステップを行う（Ｓ４１２）。
【００７３】
ハンドオーバ対象基地局を決定した後、当該フェムト基地局にハンドオーバを要請するハンドオーバ要請メッセージをマクロ基地局に伝送し（Ｓ４１３）、マクロ基地局から前記ハンドオーバ要請メッセージに応じたハンドオーバ指示メッセージを受信する（Ｓ４１５）。以降、端末は、当該フェムト基地局へのハンドオーバを行う（Ｓ４１５）。
【００７４】
以上、図１〜図４を参照して、本発明の多様な実施形態について詳述した。説明では、既存に端末にサービスを提供するサービング基地局としてマクロ基地局１１０、２１０、３１０を言及したが、本発明の範囲は、これに限定されず、例えば、フェムト基地局であってもよい。また、端末１２０、２２０、３２０は、周辺フェムト基地局のみならず、周辺マクロ基地局などをハンドオーバ対象として検索（Ｓ１１０、Ｓ２１０、Ｓ３１０）するか、スキャニング（Ｓ１４０、Ｓ２４０、Ｓ３４０）することができる。
【００７５】
図５は、本発明の実施形態が実現される基地局を示すブロック図である。基地局５００は、プロセッサ（ｐｒｏｃｅｓｓｏｒ）５１０と、メモリ（ｍｅｍｏｒｙ）５２０と、ＲＦ部（Ｒａｄｉｏｆ  ｒｅｑｕｅｎｃｙ  ｕｎｉｔ）５３０とを含む。
【００７６】
図５を参照すれば、プロセッサ５１０は、提案された機能、過程および／または方法を実現する。前記プロセッサ５１０は、複数の分割放送メッセージを含む放送メッセージを生成し、前記放送メッセージを複数の端末に伝送するが、前記複数の分割放送メッセージに含まれる各々の分割放送メッセージは、周辺基地局の種類、周辺基地局の位置、または周辺基地局の動作周波数に応じて互いに異なる周辺基地局に関する情報を含むことができる。無線インタフェースプロトコルの階層はプロセッサ５１０によって実現できる。メモリ５２０は、プロセッサ５１０に連結され、プロセッサ５１０を駆動するための多様な情報を格納する。ＲＦ部５３０は、プロセッサ５１０に連結され、無線信号を送信および／または受信する。
【００７７】
プロセッサ５１０は、ＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）、他のチップセット、論理回路および／またはデータ処理装置を含むことができる。メモリ５２０は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、メモリカ−ド、格納媒体および／または他の格納装置を含むことができる。ＲＦ部５３０は、無線信号を処理するためのベースバンド回路を含むことができる。実施形態がソフトウェアで実現される時、上述した手法は、上述した機能を果たすモジュール（過程、機能など）で実現可能である。モジュールは、メモリ５２０に格納され、プロセッサ５１０によって実行できる。メモリ５２０は、プロセッサ５１０の内部または外部にあり得、公知の多様な手段でプロセッサ５１０と連結可能である。
【００７８】
上述したすべての機能は、上記の機能を果たすようにコーディングされたソフトウェアやプログラムコードなどによるマイクロプロセッサ、コントローラ、マイクロコントローラ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサによって実行できる。前記コードの設計、開発および実現は、本発明の説明に基づいて当業者にとって自明である。
【００７９】
以上、本発明について実施形態を参照して説明したが、当該技術分野における通常の知識を有する者は、本発明の技術的な思想および領域を逸脱しない範囲内で本発明を多様に修正および変更させて実施できることを理解することができる。したがって、上述した実施形態に限定されず、本発明は、以下の特許請求の範囲の範囲内のすべての実施形態を含むというべきである。
【図１】
2012532559.tif 000003
【図２】
2012532559.tif 000004
【図３】
2012532559.tif 000005
【図４】
2012532559.tif 000006
【図５】
2012532559.tif 000007
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
無線通信システムにおける、端末による周辺基地局情報の要請方法において、
前記端末のハンドオーバ対象となる周辺基地局を検索するステップと、
前記周辺基地局のうち、前記端末によって検索された基地局に関するプリアンブル（ｐｒｅａｍｂｌｅ）情報と、前記周辺基地局に関する情報を要請することを示す周辺基地局リスト要請指示子とを含むリスト要請メッセージをサービング基地局に伝送するステップと、
前記周辺基地局に関する識別情報およびシステム情報を含むリスト応答メッセージを前記サービング基地局から受信するステップとを含むことを特徴とする周辺基地局情報の要請方法。
【請求項２】
前記リスト応答メッセージは、前記端末に専用チャネル（ｄｅｄｉｃａｔｅｄ  ｃｈａｎｎｅｌ）を介して伝送されるユニキャスト（ｕｎｉｃａｓｔ）メッセージであることを特徴とする請求項１に記載の周辺基地局情報の要請方法。
【請求項３】
前記リスト要請メッセージは、前記周辺基地局に対する検索を前記サービング基地局に要請するための目的のＭＡＣメッセージであることを特徴とする請求項１に記載の周辺基地局情報の要請方法。
【請求項４】
前記リスト要請メッセージは、前記周辺基地局に関する識別情報およびシステム情報を要請するための目的のＭＡＣメッセージであることを特徴とする請求項１に記載の周辺基地局情報の要請方法。
【請求項５】
前記リスト要請メッセージは、前記周辺基地局に対する検索結果を前記サービング基地局に報告するための目的のＭＡＣメッセージであることを特徴とする請求項１に記載の周辺基地局情報の要請方法。
【請求項６】
前記サービング基地局は、マクロ基地局であることを特徴とする請求項１に記載の周辺基地局情報の要請方法。
【請求項７】
前記周辺基地局を検索する前に、前記サービング基地局から、前記周辺基地局の種類、使用周波数、および位置情報を含む放送メッセージを受信するステップをさらに含むことを特徴とする請求項１に記載の周辺基地局情報の要請方法。
【請求項８】
前記端末が、前記周辺基地局のうちのいずれか１つにハンドオーバを行うことを特徴とする請求項１に記載の周辺基地局情報の要請方法。
【請求項９】
無線通信システムにおける、サービング基地局による周辺基地局情報の伝送方法において、
前記サービング基地局の周辺基地局のうち、端末によって検索された基地局に関するプリアンブル情報と、前記周辺基地局に関する情報を要請することを示す周辺基地局リスト要請指示子とを含むリスト要請メッセージを前記端末から受信するステップと、
前記周辺基地局に関する識別情報およびシステム情報を含むリスト応答メッセージを前記端末に伝送するステップとを含むことを特徴とする周辺基地局情報の伝送方法。
【請求項１０】
前記リスト要請メッセージは、要請する周辺基地局の種類に関する情報をさらに含む、請求項９に記載の周辺基地局情報の伝送方法。
【請求項１１】
前記リスト要請メッセージは、前記検索された基地局の動作周波数情報をさらに含む、請求項９に記載の周辺基地局情報の伝送方法。
【請求項１２】
前記リスト要請メッセージは、前記検索された基地局のダウンリンク信号品質に関する情報をさらに含む、請求項９に記載の周辺基地局情報の伝送方法。
【請求項１３】
前記リスト要請メッセージは、要請する周辺基地局の種類に関する情報をさらに含む、請求項１に記載の周辺基地局情報の要請方法。
【請求項１４】
前記リスト要請メッセージは、前記検索された基地局の動作周波数情報をさらに含む、請求項１に記載の周辺基地局情報の要請方法。
【請求項１５】
前記リスト要請メッセージは、前記検索された基地局のダウンリンク信号品質に関する情報をさらに含む、請求項１に記載の周辺基地局情報の要請方法。
【国際調査報告】
2012532559.tif 000008
2012532559.tif 000009
2012532559.tif 000010
2012532559.tif 000011